(57)【要約】【課題】丸棒部材に沿ってスライド可能であり、丸棒部材の任意の箇所で丸棒部材の雄ねじと一対の半割ナット部材の雌ねじを螺合させることが可能な早送りナットを提供する。【解決手段】早送りナット１は、主に、筒状部材３と、一対の半割ナット部材５，７と、ナット付勢部材を構成する弾性部材９Ａ乃至９Ｄと、カバー部材１１と、蓄勢部材１３と、蓄勢部材固定手段１５とを備えている。一対の半割ナット部材５，７に対して丸棒部材ＣＲに沿って想定した第１の位置にカバー部材１１が存在すると、一対の半割ナット部材５，７が丸棒部材ＣＲに対して押し付けられた状態になり、丸棒部材ＣＲの雄ねじと一対の半割ナット部材５，７の雌ねじが螺合する。一対の半割ナット部材５，７に対して丸棒部材ＣＲに沿って想定した第２の位置にカバー部材１１を動かすと、丸棒部材ＣＲの雄ねじと一対の半割ナット部材５，７の雌ねじの螺合が解除される。【選択図】  図２
2019060360.tif 000002
【特許請求の範囲】
【請求項１】
螺旋状の雄ねじが少なくとも一部に形成された丸棒部材を間に挟むように対向して配置され、前記雄ねじと螺合する雌ねじ部分を内周に備えた一対の半割ナット部材と、
前記一対の半割ナット部材を前記丸棒部材から直径方向外側に離すように配置されたナット付勢部材と、
前記一対の半割ナット部材及び前記ナット付勢部材を収納する筒状のカバー部材を備え、
前記カバー部材の前記一対の半割ナット部材に対する相対的な位置の変更と前記ナット付勢部材が発生する力を利用して前記一対の半割ナット部材の前記雌ねじと前記丸棒部材の前記雄ねじとの螺合及び螺合の解除を行う早送りナットであって、
前記丸棒部材が貫通する貫通孔を備えた本体部と、前記貫通孔の径方向に対向するように前記本体部に形成されて、前記貫通孔と連通し且つ前記一対の半割ナット部材が前記径方向にスライドすることを許容するように前記一対の半割ナット部材を部分的に収納する一対の窓部を有し、前記カバー部材の内部に前記カバー部材に対して相対的に移動可能に配置された筒状部材を備え、
前記カバー部材は、前記一対の半割ナット部材に対して前記丸棒部材に沿って想定した第１の位置と第２の位置の間を移動するように構成されており、
前記カバー部材の内周面から内側に突出して前記一対の半割ナット部材に対して前記カバー部材が前記第１の位置と前記第２の位置との間を移動する際に、前記一対の半割ナット部材の前記一対の窓部から露出する露出面と接触しながら相対的にスライドする一対のスライド部を備え、
前記一対の半割ナット部材の前記露出面と前記一対のスライド部の前記露出面と接触する接触面の形状は、
前記カバー部材が前記第２の位置から前記第１の位置に移動する際に、前記ナット付勢部材の付勢力に抗して前記一対の半割ナット部材を前記径方向内側に向かって近付けて、前記一対の半割ナット部材の前記雌ねじと前記丸棒部材の前記雄ねじとを螺合させ、
前記カバー部材が前記第１の位置から前記第２の位置に移動する際に、前記ナット付勢部材の付勢力で前記一対の半割ナット部材を前記径方向外側に離して前記一対の半割ナット部材の前記雌ねじと前記丸棒部材の前記雄ねじとの螺合を解除することを可能にするように定められている、
ことを特徴とする早送りナット。
【請求項２】
前記カバー部材の内部に配置され、前記丸棒部材が内部を貫通し且つ前記カバー部材が前記第１の位置から前記第２の位置に移動する際に蓄勢され、前記カバー部材が前記第２の位置から前記第１の位置に移動する際に放勢される蓄勢手段を備え、
前記筒状部材は、前記カバー部材の内部に一端が係止された前記蓄勢手段の他端を係止するように前記本体部と一体に設けられた係止部を有している請求項１に記載の早送りナット。
【請求項３】
前記一対の半割ナットの前記露出面は、前記係止部側に位置して前記カバー部材の前記内周面と平行に延びるナット側平行面と該ナット側平行面と連続し且つ前記係止部から離れるに従って前記貫通孔側に傾斜するナット側傾斜面を有しており、
前記スライド部の前記接触面の形状は、前記カバー部材が前記第１の位置にあるときに、前記露出面の前記ナット側平行面と接触するスライド側平行面と、該スライド側平行面と連続して形成され、前記カバー部材が前記第２の位置にあるときに前記ナット側傾斜面と接触するスライド側傾斜面を有している請求項２に記載の早送りナット。
【請求項４】
前記筒状部材は、前記径方向外側で且つ前記一対の窓部の間に位置する一対の仕切り壁を有しており、
前記一対の仕切り壁と前記一対の半割ナット部材との間にそれぞれ前記ナット付勢部材を構成する複数の弾性部材が配置されている請求項１に記載の早送りナット。
【請求項５】
前記一対の仕切り壁には、前記複数の弾性部材の一端を固定する有底の弾性部材固定孔が複数形成されており、
前記一対の仕切り壁の１つの一方の面に形成された前記弾性部材固定孔と、該一方の面に対向する他方の面に形成された前記弾性部材固定孔は、前記貫通孔が延びる延伸方向にずれた位置に形成されている請求項４に記載の早送りナット。
【請求項６】
前記一対の窓部のそれぞれは、前記一対の仕切り壁から前記径方向に延びる一対の対向壁部を有しており、
前記一対の半割ナット部材のそれぞれには、前記一対の対向壁部に沿う一対の平坦部が形成されている請求項４に記載の早送りナット。
【請求項７】
前記一対の仕切り壁の前記貫通孔が延びる延伸方向の長さ寸法は、前記一対の半割ナット部材の前記延伸方向の長さ寸法よりも少なくとも前記雌ねじ部分の半ピッチ分長い請求項４に記載の早送りナット。
【請求項８】
前記一対の半割ナット部材は、同形状の半割ナット部材からなる請求項４乃至７のいずれか１項に記載の早送りナット。
【発明の詳細な説明】
【技術分野】
【０００１】
本発明は、早送りナットに関するものである。
【背景技術】
【０００２】
通常、ボルト等の螺旋状の雄ねじが少なくとも一部に形成された丸棒部材（以下、「丸棒部材」）にナットを螺合させる場合、丸棒部材の端部にナットの貫通孔を通し、丸棒部材に対してナットを回転させ、所望の位置までナットを移動させる必要がある。ナットを丸棒部材の全長に沿って移動させるには手間がかかるため、特許文献１（特公昭４７−２０５３０号公報）に記載の発明のように、一対の半割ナット部材と、一対の半割ナット部材を丸棒部材の直径方向外側に離すナット付勢部材と、一対の半割ナット部材を収納するカバー部材を備えた、早送りナットと呼ばれる製品が開発されている。
【０００３】
特許文献１に記載の早送りナットは、脚部３１が締付板７に到達するまでは、ナット付勢部材であるスプリング１４によって一対の半割ナット部材１２が引き離されている。そして、脚部３１が締付板７に到達すると、脚部３１により一対の半割ナット部材１２が押し上げられ、スプリング１４が圧縮され、丸棒部材に一対の半割ナット部材１２の雌ねじ部分が押し付けられ、丸棒部材の雄ねじと一対の半割ナット部材の雌ねじが螺合するようになっている。そのため、この早送りナットは、脚部３１が締付板７に到達するまでは、丸棒部材に沿って自在にスライド可能になっており、脚部３１が締付板７に到達すると、ナットとして機能するようになり、その後さらに早送りナットを回転させることで、締付板７を締め付けることができる。
【先行技術文献】
【特許文献】
【０００４】
【特許文献１】特公昭４７−２０５３０号公報
【発明の概要】
【発明が解決しようとする課題】
【０００５】
しかしながら、特許文献１に記載の早送りナットの場合には、早送りナットが締結板に到達しない限りナットとして機能しないため、早送りナットを丸棒部材の任意の箇所で、ナットとしての機能を発揮させることができない。また、締結状態を解除するためには、脚部３１が締付板７から離れる位置まで早送りナットを回転させなければならない。さらに、ナット付勢部材であるスプリング１４は、一対の半割ナット部材１２の間に直接組み付けられるようになっているため、組み立て作業が難しい。
【０００６】
本発明の目的は、丸棒部材に沿ってスライド可能であり、丸棒部材の任意の箇所で丸棒部材の雄ねじと一対の半割ナット部材の雌ねじを螺合させることが可能な、すなわち、ナットとしての機能を発揮することが可能な早送りナットを提供することである。
【０００７】
本発明の他の目的は、組み立てが容易な早送りナットを提供することである。
【０００８】
本発明の他の目的は、一対の半割ナット部材として、同形状の半割ナット部材を２つ使用することが可能な早送りナットを提供することである。
【課題を解決するための手段】
【０００９】
本発明は、螺旋状の雄ねじが少なくとも一部に形成された丸棒部材を間に挟むように対向して配置され、雄ねじと螺合する雌ねじ部分を内周に備えた一対の半割ナット部材と、一対の半割ナット部材を丸棒部材から直径方向外側に離すように配置されたナット付勢部材と、一対の半割ナット部材及びナット付勢部材を収納する筒状のカバー部材を備え、カバー部材の一対の半割ナット部材に対する相対的な位置の変更とナット付勢部材が発生する力を利用して一対の半割ナット部材の雌ねじと丸棒部材の雄ねじとの螺合及び螺合の解除を行う早送りナットを対象にしている。
【００１０】
本発明の早送りナットは、丸棒部材が貫通する貫通孔を備えた本体部と、貫通孔の径方向に対向するように本体部に形成されて、貫通孔と連通し且つ一対の半割ナット部材が径方向にスライドすることを許容するように一対の半割ナット部材を部分的に収納する一対の窓部を有し、カバー部材の内部にカバー部材に対して相対的に移動可能に配置された筒状部材を備えている。そして、カバー部材は、一対の半割ナット部材に対して丸棒部材に沿って想定した第１の位置と第２の位置の間を移動するように構成されており、カバー部材の内周面から内側に突出して一対の半割ナット部材に対してカバー部材が第１の位置と第２の位置との間を移動する際に、一対の半割ナット部材の一対の窓部から露出する露出面と接触しながら相対的にスライドする一対のスライド部を備えている。
【００１１】
そして、一対の半割ナット部材の露出面と一対のスライド部の露出面と接触する接触面の形状は、カバー部材が第２の位置から第１の位置に移動する際に、ナット付勢部材の付勢力に抗して一対の半割ナット部材を径方向内側に向かって近付けて、一対の半割ナット部材の雌ねじと丸棒部材の雄ねじとを螺合させ、カバー部材が第１の位置から第２の位置に移動する際に、ナット付勢部材の付勢力で一対の半割ナット部材を径方向外側に離して一対の半割ナット部材の雌ねじと丸棒部材の雄ねじとの螺合を解除することを可能にするように定められている。
【００１２】
このように構成されているため、本発明の早送りナットは、カバー部材を第１の位置から第２の位置に移動させると早送りナットを丸棒部材に沿って自在にスライド可能な状態になり、カバー部材を第２の位置から第１の位置に移動させると、丸棒部材の雄ねじと一対の半割ナット部材の雌ねじが螺合し、早送りナットがナットとして機能するようになる。
【００１３】
なお、本発明で使用する一対の半割ナット部材とは、部材１つではナットとして機能せず、２つ１組で使用してナットとして機能する一対の部材である。したがって、一対の半割ナット部材とは、必ずしも、１つのナットを半分に切断及び加工して対にしたものに限定されるものではない。
【００１４】
カバー部材を第１の位置と第２の位置の間で移動させるのは手動のみでもよいが、次のようにすると手動をサポートして、カバー部材を第１の位置と第２の位置の間を移動させることができる。すなわちカバー部材の内部に、丸棒部材が内部を貫通し且つカバー部材が第１の位置から第２の位置に移動する際に蓄勢され、カバー部材が第２の位置から第１の位置に移動する際に放勢される蓄勢手段を設け、筒状部材には、カバー部材の内部に一端が係止された蓄勢手段の他端を係止するように本体部と一体に設けられた係止部を設ければよい。このようにすれば、操作をしていない状態では蓄勢手段によってカバー部材が第１の位置に維持されるため、早送りナットはナットとして機能する。そして、カバー部材を第１の位置から第２の位置に移動させて螺合を解除すれば、丸棒部材に沿って早送りナットを自在にスライドさせることができ、操作している手を離すと、蓄勢手段の放勢によりカバー部材が第２の位置から第１の位置に戻り、早送りナットは再びナットとして機能するようになる。
【００１５】
一対の半割ナット部材を径方向にスムーズに移動させるためのガイド機構の構成は任意である。例えば、一対の半割ナット部材の露出面は、係止部側に位置してカバー部材の内周面と平行に延びるナット側平行面と該ナット側平行面と連続し且つ係止部から離れるに従って貫通孔側に傾斜するナット側傾斜面を有しており、スライド部の接触面の形状は、カバー部材が第１の位置にあるときに、露出面のナット側平行面と接触するスライド側平行面と、該スライド側平行面と連続して形成され、カバー部材が第２の位置にあるときにナット側傾斜面と接触するスライド側傾斜面を有するようにすることが可能である。このようにすると一対の半割ナット部材を径方向にスムーズに移動させることができる。
【００１６】
一対の半割ナット部材として、１つのナットを半分に切断した形状のものを個別に用意してもよいが、同形状の半割ナット部材を２つ使用することもできる。このようにすれば、部品の種類が減るため、製造コストを抑えることができる。しかしながら、同形状の半割ナット部材を２つ使用すると対向させた半割ナット部材の雌ねじのピッチが半ピッチ分ずれてしまうこととなり、丸棒部材の雄ねじと一対の半割ナット部材の雌ねじを螺合させるためには、貫通孔が伸びる延伸方向に半割ナット部材の位置をずらす必要が生じる。そのため、一対の半割ナット部材のそれぞれが、相互に独立して動くことが可能な構成を採用しておくことが好ましい。
【００１７】
このため、本発明では、筒状部材に、径方向外側で且つ一対の窓部の間に位置する一対の仕切り壁を設け、一対の仕切り壁と一対の半割ナット部材との間にそれぞれナット付勢部材を構成する複数の弾性部材を配置することができる。このようにすれば、一対の半割ナット部材のそれぞれは他方の半割ナット部材の動きの影響を受けることなく、径方向に動くことが可能となる。また、半割ナット部材を別々に組み付けることができるため、組み立てが容易になるという効果もある。
【００１８】
一対の仕切り壁に弾性部材をそれぞれ固定するため、一対の仕切り壁に弾性部材の一端を固定する有底の弾性部材固定孔を形成しておくことが好ましい。一対の仕切り壁の１つの一方の面に形成された弾性部材固定孔と、この一方の面に対向する他方の面に形成された弾性部材固定孔は、貫通孔が延びる延伸方向にずれた位置に形成されていることが好ましい。このようにすれば、弾性部材固定孔の深さ寸法を最大で仕切り壁の厚みに近い寸法とすることができるため、弾性部材固定孔の深さ寸法を圧縮状態になった弾性部材の大部分が収まる深さにすることができるようになる。
【００１９】
一対の窓部のそれぞれは、一対の仕切り壁から径方向に延びる一対の対向壁部を有しており、一対の半割ナット部材のそれぞれには、一対の対向壁部に沿う一対の平坦部が形成されていることが好ましい。このようにすれば、一対の半割ナット部材が、一対の対向壁部にガイドされて、回転することなく、径方向に直線的に移動することが可能となり、カバー部材が第１の位置に存在する際に、確実に丸棒部材の雄ねじと一対の半割ナット部材の雌ねじが螺合することができる。
【００２０】
一対の仕切り壁の貫通孔が延びる延伸方向の長さ寸法は、一対の半割ナット部材の延伸方向の長さ寸法よりも少なくとも雌ねじ部分の半ピッチ分長いことが好ましい。このようにすれば、同形状の半割ナット部材を２つ使用した場合でも、丸棒部材の雄ねじのピッチと一対の半割ナット部材の雌ねじのピッチが合うように２つの半割ナット部材をそれぞれ適切な位置で螺合することができる。
【図面の簡単な説明】
【００２１】
【図１】（Ａ）は、本実施の形態の一例である早送りナットの使用状態を示す図であり、（Ｂ）は（Ａ）の断面図である。
【図２】本実施の形態の一例である早送りナットの分解斜視図である。
【図３】図２のIII−III線断面図である。
【図４】カバー部材の断面図であり、図２のIV−IV線断面図である。
【図５】筒状部材の右側面図である。
【図６】カバー部材が第１の位置にある状態を示した図である。
【図７】カバー部材を第１の位置から第２の位置に移動する、または、第２の位置から第１の位置に移動する様子を示した図である。
【図８】カバー部材が第２の位置にある状態を示した図である。
【発明を実施するための形態】
【００２２】
以下、図面を参照して、本発明の早送りナットの実施の形態を詳細に説明する。
【００２３】
図１（Ａ）は、本実施の形態の一例である早送りナットの使用状態を示す図であり、図１（Ｂ）は図１（Ａ）の断面図であり、図２は、本実施の形態の早送りナットの分解斜視図である。図３は、図２のIII−III線断面図であり、カバー部材及び筒状部材のみ断面図で示した図である。図４は、カバー部材の断面図であり、図２のIV−IV線断面図である。図５は、筒状部材の右側面図である。筒状部材の左側面図は右側面図と同じに見えるため、図５では、左側面に現れる符号をカッコ書きで記入してある。
【００２４】
本実施の形態の早送りナット１は、早送りナット１に固定された対象物ＯＢの高さ調節を行うためのアジャスタとして使用されている。この例では、対象物ＯＢは、スロープを構成する板材の底面に取り付けられた脚部である。早送りナット１を用いて、脚部の長さを調節して、スロープの高さ調節及び水平調節が容易に行えるようになっている。
【００２５】
＜構成部材＞
本願明細書においては、図２に示すように、早送りナット１に対して複数の方向を定めている。すなわち、右方向Ｒｉ及び左方向Ｌｅからなる左右方向（第１の方向Ｄ１）、上方向Ｕｐ及び下方向Ｌｏからなる上下方向（第２の方向Ｄ２）、前方方向Ｆｏ及び後方方向Ｒｅからなる前後方向（第３の方向Ｄ３）を図２に示すように定義している。図３乃至図８でも、図２の説明に用いる方向と同じ方向を用いている。
【００２６】
早送りナット１は、主に、筒状部材３と、一対の半割ナット部材５，７と、ナット付勢部材を構成する弾性部材９Ａ乃至９Ｄと、カバー部材１１と、蓄勢部材１３と、蓄勢部材固定手段１５とを備えている。
【００２７】
［筒状部材］
筒状部材３は、本体部１７と、本体部１７に形成された一対の窓部１９，２１を備えている。本体部１７は、螺旋状の雄ねじが形成された丸棒部材ＣＲが貫通する貫通孔２３を備えている。一対の窓部１９，２１は、貫通孔２３と連通し、且つ、一対のナット部材５，７が径方向（第１の方向Ｄ１）に対抗するように本体部１７に形成されており、一対の半割ナット部材５，７が径方向にスライドすることを許容するように一対の半割ナット部材５，７を部分的に収納するようになっている。
【００２８】
一対の窓部１９，２１の間には、一対の仕切り壁２５，２７が形成されている。また、一対の窓部１９，２１のそれぞれは、一対の仕切り壁２５，２７から第１の方向Ｄ１に延びる一対の対向壁部２９Ａ，２９Ｂ及び３１Ａ，３１Ｂを有している。一対の仕切り壁２５，２７には、弾性部材９Ａ乃至９Ｄが固定される弾性部材固定孔３３Ａ乃至３３Ｄが形成されている。図２に示すように、弾性部材固定孔３３Ｂと３３Ｃは第２の方向Ｄ２の方向にずれた位置に形成されている。弾性部材固定孔３３Ａと３３Ｄも同様である。また、弾性部材固定孔３３Ａ乃至３３Ｄの深さ寸法は、弾性部材９Ａ乃至９Ｄの密着長以上になっている。一対の窓部１９，２１の第２の方向Ｄ２に延びる長さ寸法は、一対の半割ナット部材５，７の第２の方向Ｄ２に延びる長さ寸法よりも半ピッチ分長くなるように設計されている。
【００２９】
また、筒状部材３は、蓄勢部材１３の端部を係止する係止部３５と、筒状部材３に対するカバー部材１１の回転止めとして機能する一対の溝部３７，３９と、組み立て時に後述のカバー部材１１のスライド部が通過する一対の切欠部４１，４３を有している。係止部３５は、一対の窓部１９，２１の外枠の一部も構成しており、一対の切欠部４１，４３を通過したカバー部材１１のスライド部が当接するスライド部当接部２０，２２としても機能する。さらに、本実施の形態では、筒状部材３の本体部１７上部には、早送りナット１に対象物ＯＢを固定するためのねじ部４５が形成されている。
【００３０】
［一対の半割ナット部材］
一対の半割ナット部材５，７は、一対の窓部１９，２１内に収納され、丸棒部材ＣＲを間に挟むように対向して配置されるものである。半割ナット部材５は、雄ねじと螺合する雌ねじ部分５Ａを内周に備え、雌ねじ部５Ａと対向する部分には、半割ナット部材５が窓部１９に収納される際に露出する露出面５Ｂを有している。露出面５Ｂは、カバー部材１１の内周面と平行に延びるナット側平行面５Ｃと、ナット側平行面５Ｃと連続するナット側傾斜面５Ｄを有している。また、雌ねじ部５Ａと露出面５Ｂの間には、一対の平坦部５Ｅ，５Ｆが形成されている。半割ナット部材７は、半割ナット部材５と同形状のものを用いているため、半割ナット部材５と同じＡ乃至Ｆの符号を付して説明を省略する。
【００３１】
［ナット付勢部材］
本実施の形態では、ナット付勢部材は、弾性部材９Ａ乃至９Ｄとから構成されている。弾性部材９Ａ乃至９Ｄは、一端が一対の仕切り壁２５，２７に形成された弾性部材固定孔３３Ａ乃至３３Ｄに固定され、他端が一対の半割ナット部材５，７と当接するようになっており、一対の半割ナット部材５，７を丸棒部材ＣＲから直径方向外側（半割ナット部材５は右方向Ｒｉ、半割ナット部材７は左方向Ｌｅ）に離すように配置されている。
【００３２】
［カバー部材］
カバー部材１１は、各部材を収納する筒状のカバーである。内周面には、一対のスライド部４７，４９と、一対の係止部５１，５３と、環状溝部５５が形成されている。スライド部４７は、半割ナット部材５のナット側平行面５Ｃと接触するスライド側平行面４７Ａと、スライド側平行面４７Ａと連続して形成され、ナット側傾斜面５Ｄと接触するスライド側傾斜面４７Ｂを有している。スライド部４９は、半割ナット部材７のナット側平行面７Ｃと接触するスライド側平行面４９Ａと、スライド側平行面４９Ａと連続して形成され、ナット側傾斜面７Ｄと接触するスライド側傾斜面４９Ｂを有している。一対の係止部５１，５３は、筒状部材３の一対の溝部３７，３９と係合し、カバー部材１１が筒状部材３に対して回転しないようになっている。環状溝部５５には、後述のＣ形止め輪が係合される。カバー部材１１の外周面上部には、カバー部材１１を動かす際に指を掛ける環状指掛部５６が形成されている。
【００３３】
［蓄勢部材及び蓄勢部材固定手段］
蓄勢部材１３は、一端１３Ａが筒状部材３の係止部３５に係止され、他端１３Ｂが蓄勢部材固定手段１５によって固定されることで、カバー部材１１の内部に配置されている。蓄勢部材固定手段１５は、蓄勢部材１３の他端と接触するリング部材５７と、環状溝部５５に係合されるＣ形止め輪５９から構成されている。
【００３４】
＜組み立て＞
本実施の形態の早送りナット１は、次の工程で組み立てられている。
【００３５】
・筒状部材３の弾性部材固定孔３３Ａ乃至３３Ｄに弾性部材９Ａ乃至９Ｄを固定する
・筒状部材３の一対の窓部１９，２１に、一対の半割ナット部材５，７を収納する
・筒状部材３の一対の溝部３７，３９と一対の係止部５１，５３及び筒状部材３の一対の切欠部４１，４３とカバー部材１１の一対のスライド部４７，４９の位置を合わせた上で、筒状部材３に、カバー部材１１を被せる
・筒状部材３の係止部に蓄勢部材１３を係止する
・蓄勢部材１３とＣ形止め輪５９の間にリング部材５７を介在させた状態で、Ｃ形止め輪５９を環状溝部５５に係合させる。
【００３６】
＜螺合及び解除＞
図６乃至図８は、早送りナット１と丸棒部材ＣＲの螺合〜解除を示す断面図である。なお、説明の便宜上、図６乃至図８において、丸棒部材ＣＲは、図示を省略してある。
【００３７】
図６に示した状態では、蓄勢部材１３が放勢状態にあり、カバー部材１１は、一対の半割ナット部材５，７に対して丸棒部材ＣＲに沿って想定した第１の位置に位置している。この状態では、一対のスライド部４７，４９がスライド部当接部２０，２２に当接し、スライド部４７のスライド側平行面４７Ａが半割ナット部材５のナット側平行面５Ｃと接触し、スライド部４９のスライド側平行面４９Ａが半割ナット部材７のナット側平行面７Ｃと接触し、一対の半割ナット部材５，７が丸棒部材ＣＲに対して押し付けられた状態になっており、丸棒部材ＣＲの雄ねじと一対の半割ナット部材５，７の雌ねじが螺合している。
【００３８】
なお、本実施の形態では、半割ナット部材５と半割ナット部材７を同形状のものを使用している。そのため、半割ナット部材５と半割ナット部材７を対向させると雌ねじのピッチが半ピッチ分ずれるため、一対の窓部１９，２１と一対の半割ナット部材５，７の第２の方向Ｄ２の長さ寸法の差を利用して、丸棒部材ＣＲの雄ねじと一対の半割ナット部材５，７の雌ねじがそれぞれ適切な位置で螺合している。
【００３９】
第１の位置から第２の位置に向かって、カバー部材１１を一対の半割ナット部材５，７に対して相対的に上方向Ｕｐに動かすと、蓄勢部材１３は蓄勢され、早送りナット１は、図７の状態を経て、図８の状態になる。カバー部材１１を動かす際には、対象物ＯＢを介して筒状部材３を押えながら、カバー部材１１の環状指掛部５６を用いてカバー部材１１を上方向Ｕｐに持ち上げるとよい。カバー部材１１を動かすと、一対の半割ナット部材５，７がナット付勢部材９Ａ乃至９Ｄの付勢力によって径方向外側に押され、一対の平坦部５Ｅ，５Ｆが一対の対向壁部２９Ａ，２９Ｂによってガイドされて、また、一対の平坦部７Ｅ，７Ｆが一対の対向壁部３１Ａ，３１Ｂによってガイドされて、半割ナット部材５が右方向Ｒｉに、半割ナット部材７が左方向Ｌｅに移動する。
【００４０】
図８に示した状態では、蓄勢部材１３が蓄勢状態にあり、カバー部材１１は、一対の半割ナット部材５，７に対して丸棒部材ＣＲに沿って想定した第２の位置に位置している。この状態では、スライド部４７のスライド側傾斜面４７Ｂが半割ナット部材５のナット側平行面５Ｄと接触し、スライド部４９のスライド側平行面４９Ｂが半割ナット部材７のナット側平行面７Ｄと接触し、一対の半割ナット部材５，７がナット付勢部材９Ａ乃至９Ｄの付勢力によって径方向外側に押された状態になっており、丸棒部材ＣＲの雄ねじと一対の半割ナット部材５，７の雌ねじの螺合が解除されている。すなわち、この状態では、丸棒部材ＣＲに沿って早送りナット１をスライド可能になっている。
【００４１】
図８の状態の後、カバー部材１１を持ち上げる力を解放すると、蓄勢部材１３が放勢し、カバー部材１１は第１の位置に戻り、図７の状態を経て、図６の状態に戻る。
【００４２】
以上、本発明の実施の形態について具体的に説明したが、本発明はこれらの実施の形態に限定されるものではなく、本発明の技術的思想の範囲内で変更が可能であるのは勿論である。
【００４３】
例えば、左右の対向する壁の間に固定して使用するいわゆる突っ張り棒の長さ調整用のアジャスタとして使用することもできる。また、上記例のように、アジャスタとして使用するのではなく、ナット単体として使用することももちろん可能である。
【産業上の利用可能性】
【００４４】
本発明によれば、丸棒部材に沿ってスライド可能であり、丸棒部材の任意の箇所で丸棒部材の雄ねじと一対の半割ナット部材の雌ねじを螺合させることが可能な早送りナットを提供することができる。また、組み立てが容易な早送りナットを提供することができる。さらに、一対の半割ナット部材として、同形状の半割ナット部材を２つ使用することが可能な早送りナットを提供することができる。
【符号の説明】
【００４５】
１  早送りナット
３  筒状部材
５，７  一対の半割ナット部材
９Ａ乃至９Ｄ  弾性部材
１１  カバー部材
１３  蓄勢部材
１５  蓄勢部材固定手段
１７  本体部
１９，２１  一対の窓部
２３  貫通孔
２５，２７  一対の仕切り壁
２９Ａ，２９Ｂ  一対の対向壁部
３１Ａ，３１Ｂ  一対の対向壁部
３３Ａ乃至３３Ｄ  弾性部材固定孔
３５  係止部
３７，３９  一対の溝部
４１，４３  一対の切欠部
４５  ねじ部
４７，４９  一対のスライド部
５１，５３  一対の係止部
５５  環状溝部
５６  環状指掛部
５７  リング部材
５９  Ｃ形止め輪
【図１】
2019060360.tif 000003
【図２】
2019060360.tif 000004
【図３】
2019060360.tif 000005
【図４】
2019060360.tif 000006
【図５】
2019060360.tif 000007
【図６】
2019060360.tif 000008
【図７】
2019060360.tif 000009
【図８】
2019060360.tif 000010